(57)【要約】【課題】奥行き感の向上を図ることができる容器体を提供する。【解決手段】容器本体１１内に、無色透明な透明フィルム３１を収容し、その表示本体３２に富士山の意匠からなる内表示部４１を、容器本体３２正面から視認可能に印刷する。容器本体１１の後面１４にシール４１を貼着し、このシール４１に、背景を構成する青空と太陽の意匠からなる後表示部４２を正面から視認可能に印刷する。容器本体１１の周面をシュリンクフィルム５１で覆い、容器本体１１の前面１３に位置するシュリンクフィルム５１の部位に、手前側の風景を構成する木や湖の意匠からなる前表示部５２を印刷する。この前表示部５２の上部に、内表示部４１及び後表示部４２の両者を視認できる視認領域５３を残存させる。【選択図】        図４
2004203441.tif 000002
【特許請求の範囲】
【請求項１】
少なくとも一部が内部を透視可能な容器本体の後面に当該容器本体の正面から視認できる後表示部を設け、前記容器本体内部に前記正面から視認できる内表示部を設け、かつ前記容器本体の前面に前記正面から視認できる前表示部を設けるとともに、前記容器本体の前記前面に、前記内表示部及び前記後表示部の両者の少なくとも一部を視認できる領域を残存したことを特徴とする容器体。
【請求項２】
前記容器本体内に、少なくとも一部が内部を透視可能な板状の表示体を収容し、該表示体に前記内表示部を設けるとともに、前記容器本体の底部に、前記表示体を位置決めする溝を形成したことを特徴とする請求項１記載の容器体。
【請求項３】
前記容器体に一般部より縮径した縮径部を設け、該縮径部に、当該容器本体内へ挿入される棒状部材の挿入口を設けるとともに、
前記表示体を前記溝に位置決めした状態で前記縮径部内に達する舌片を当該表示体に設けたことを特徴とする請求項２記載の容器体。
【発明の詳細な説明】
【０００１】
【発明の属する技術分野】
本発明は、芳香剤などの液体を収容できる容器体に関する。
【０００２】
【従来の技術】
従来、内容物を収容する際には容器体が用いられていた（例えば特許文献１参照）。
【０００３】
この容器体は、透明な容器本体からなり、その前面には、意匠が印刷されている。また、この容器本体内部には、フィルムが収容されており、該フィルムにも意匠が形成されている。これにより、前記容器本体前面の意匠が、前記フィルムの意匠の手前に配置されるように構成されている。
【０００４】
一方、内容物を収容するものとしては、他の容器体も知られている（例えば特許文献２参照）。
【０００５】
この容器体では、透明の容器本体の後面に図柄が印刷されたラベルが貼着されており、該ラベルの絵柄が容器本体の正面から見えるように構成されている。また、容器本体内には、造形品が収容されており、該造形品がラベルの図柄より手前に配置されるように構成されている。
【０００６】
【特許文献１】
国際公開第ＷＯ９７／０３８８７号（図４）
【０００７】
【特許文献２】
特開２０００−１２８１７５号明細書（「実施の形態」の欄及び図１）
【０００８】
【発明が解決しようとする課題】
しかしながら、このような容器体にあっては、容器本体内部のフィルムに形成された意匠の手前に容器本体表面の意匠を配置する、あるいは容器本体内の造形品の背後にラベルの図柄を配置する構造のため、奥行き感に欠けるという問題があった。
【０００９】
本発明は、このような従来の課題に鑑みてなされたものであり、奥行き感の向上を図ることができる容器体を提供することを目的とするものである。
【００１０】
【課題を解決するための手段】
前記課題を解決するために本発明の請求項１の容器体にあっては、少なくとも一部が内部を透視可能な容器本体の後面に当該容器本体の正面から視認できる後表示部を設け、前記容器本体内部に前記正面から視認できる内表示部を設け、かつ前記容器本体の前面に前記正面から視認できる前表示部を設けるとともに、前記容器本体の前記前面に、前記内表示部及び前記後表示部の両者の少なくとも一部を視認できる領域を残存した。
【００１１】
すなわち、容器本体内に設けられた内表示部の奥側には、容器本体の後面に設けられた後表示部が配置され、前記内表示部の手前側には、前記容器本体の前面に設けられた前表示部が配置される。そして、前記容器本体の前面には、前記内表示部及び前記後表示部の少なくとも一部を視認可能な領域が残存する。
【００１２】
このため、容器本体正面からは、前記前表示部の奥側に内表示部を視認することができ、該内表示部のさらに奥側に前記後表示部を視認することができる。
【００１３】
また、請求項２の容器体においては、前記容器本体内に、少なくとも一部が内部を透視可能な板状の表示体を収容し、該表示体に前記内表示部を設けるとともに、前記容器本体の底部に、前記表示体を位置決めする溝を形成した。
【００１４】
すなわち、内表示部が設けられた板状の表示体は、容器本体の底部に形成された溝によって位置決めされている。これにより、前記表示体の不用意な回転が防止され、前記内表示部の正面から視認性が確保される。
【００１５】
また、板状の表示体が、容器本体の前壁や後壁の内面に付着してしまい前表示部又は後表示部との奥行き感が無くなってしまうといったことが防止される。
【００１６】
さらに、請求項３の容器体では、前記容器体に一般部より縮径した縮径部を設け、該縮径部に、当該容器本体内へ挿入される棒状部材の挿入口を設けるとともに、前記表示体を前記溝に位置決めした状態で前記縮径部内に達する舌片を当該表示体に設けた。
【００１７】
すなわち、容器本体内の表示体が底部の溝に位置決めされた状態で、その舌片が前記容器本体の縮径部内に収容されるとともに、この縮径部には、当該容器本体内へ挿入される棒状部材の挿入口が設けられている。
【００１８】
このため、板状の表示体が、容器本体の前壁や後壁の内面に付着してしまい前表示部又は後表示部との奥行き感がなくなってしまうといったことが更に確実に防止されると共に、前記棒状部材を挿入する際に、当該棒状部材は、前記舌片の裏側に配置された状態で当該舌片に沿って挿入される。
【００１９】
【発明の実施の形態】
以下、本発明の一実施の形態を図に従って説明する。図１は、本実施の形態にかかる容器体１を示す図であり、該容器体１内には、透明性を有した液体薬剤である芳香剤２が収容されている。
【００２０】
この容器体１は、無色透明の容器本体１１と、該容器本体１１に取り付けられたキャップ１２とにより構成さている。前記容器本体１１は、図２にも示すように、楕円形状に形成されており、曲率半径が大きく緩やかに湾曲した対向する側面部分が、前面１３及び後面１４を構成している。この容器本体１１の上部には、図３に示すように、一般部１５より縮径した円筒状の縮径部１６が形成されており、該縮径部１６には、内部に連通する上方開口状の挿入口としての開口部１７が設けられている。
【００２１】
前記容器本体１１の底面２１は、中央部が上方に膨出する曲面状に形成されており、この底面２１には、図２の（ｂ）及び図３に示したように、さらに上方に膨出した膨出部２２〜２５が四箇所に形成されている。これにより、前記後面１４側に形成された一対の膨出部２４，２５と、前記前面１３側に形成された一対の膨出部２２，２３との間には、横方向に延在する横溝２６が形成されており、左側に形成された一対の膨出部２２，２４と、右側に形成された一対の膨出部２３，２５との間には、前後方向に延在する縦溝２７が形成されている。
【００２２】
この容器本体１１内部には、図３に示したように、薄肉板状の無色透明の表示体である透明フィルム３１が収容されており、該透明フィルム３１は、丸めた状態で前記縮径部１６の開口部１７から挿入できるように構成されている。この透明フィルム３１は、前記容器本体１１の一般部１５内に配置される長方形状の表示本体３２と、該表示本体３２の中央部より上方に延出した長方形状の舌片３３とによって一体形成されている。
【００２３】
前記表示本体３２の表面には、図４に示すように、富士山の意匠からなる内表示部４１が部分的に印刷されており、容器本体１１内部には、当該容器本体１１の正面から視認できる前記内表示部４１が設けられている。なお、この内表示部４１は、前記表示本体３２にシールを貼着して形成しても良い。また、この透明フィルム３１は、平板状で無くても良く、コ字状や、容器本体の内面の沿った円弧又は円筒状や、Ｗ字状や、Ｖ字状であっても良い。
【００２４】
この透明フィルム３１の下縁は、図３にも示したように、直線状に形成されており、上方へ曲面状に膨出した前記底面２１に点接触あるいは線接触した状態で揺動自在に支持されている。また、前記透明フィルム３１は、その下縁部が前記底面２１の横溝２６内に収容された状態で、後面１４側の膨出部２４，２５と前面１３側の膨出部２２，２３間とよって位置決めされているとともに、その幅寸法が前記容器本体１１の前後方向の内径寸法より長く設定されることによって、容器本体１１内での不用意な回動が防止されている。そして、前記透明フィルム３１は、図３に示したように、その下縁部を前記横溝２６で位置決めした状態で、前記舌片３３が前記縮径部１６に達するとともに該縮径部１６内に配置されるように当該舌片３３の長さ寸法及び幅寸法が設定されている。
【００２５】
前記容器本体１１の後面１４には、図４に示したように、該後面１４のほぼ全域を覆う長方形状のシール４５が貼着されており、容器本体１１の背面側を形成するシール４５の一面には、芳香剤の説明書きが印刷されている。また、このシール４５における前記容器本体１１に貼着された他面には、背景を構成する青空と太陽の意匠からなる後表示部４２が全域に渡って印刷されており、該後表示部４２上には、粘着性を有した無色透明の粘着層が全域に渡って形成されている。これにより、前記容器本体１１の後面１４には、正面から視認できる後表示部４２が設けられている。なお、この後表示部４２は、容器本体１１の内面又は外面に直接印刷を施して形成しても良い。
【００２６】
この容器本体１１の周面は、無色透明のシュリンクフィルム５１により全周に渡って覆われており、該シュリンクフィルム５１には、容器本体１１の前面１３に位置する部位の下部側に、手前側の風景を構成する木や湖の意匠からなる前表示部５２が印刷されている。これにより、容器本体１１の前面１３には、正面から視認できる前表示部５２が設けられており、該前表示部５２の上部には、前記内表示部４１及び前記後表示部４２の両者を視認できる視認領域５３が残存されている。なお、前記前表示部５２は、容器本体１１の内面又は外面に直接印刷を施して形成しても良い。
【００２７】
一方、前記キャップ１２は、図２に示したように、前記容器本体１１の前記縮径部１６に取り付けられる筒部６１を備えており、該筒部６１内面には、前記縮径部１６周面の雄ネジ部６２に螺合する雌ネジ部６３が形成されている。また、縮径部６１の内面に嵌合される、パイプ６４が下方へ向けて延出しており、該パイプ６４からは、前記容器本体１１内の芳香剤２を吸い上げる吸湿芯６５が底面２１に向かって延出している。これにより、前記パイプ６４と前記吸湿芯６５とによって、前記縮径部１６に形成された開口部１７を介して前記容器本体１１内へ挿入される棒状部材６６が構成されている。
【００２８】
前記筒部６１の上部には、穴７１，・・・を有する載置部７２が形成されており、該載置部７２と当該キャップ１２の天面７３間には、前記吸湿芯６５によって吸い上げられた芳香剤２を吸収する吸湿体７４が収容されている。そして、前記キャップ１２の天面７３及び側面７５には、図１及び図２の（ａ）にも示したように、多数のスリット７６，・・・が開設されており、前記吸湿体７４に吸収された芳香剤２を、各スリット７６，・・・から放出できるように構成されている。
【００２９】
以上の構成にかかる本実施の形態において、容器本体１１内の透明フィルム３１に設けられた内表示部４１の奥側には、容器本体１１の後面１４のシール４５に設けられた後表示部４２が配置され、前記内表示部４１の手前側には、前記容器本体１１を覆うシュリンクフィルム５１の前面１３部分に印刷された前表示部５２が配置されている。そして、前記容器本体１１の前面１３には、前記内表示部４１及び前記後表示部４２を視認できる認識領域５３が形成されている。
【００３０】
このため、容器本体１１正面からは、手前側の風景を構成する前表示部５２の奥側に富士山からなる内表示部４１を視認することができ、該内表示部４１のさらに奥側に、背景を構成する後表示部４２を視認することができる。
【００３１】
このように、手前から順に配置された容器本体１１前面１３の前表示部５２と、前記容器本体１１内の内表示部４１と、容器本体１１後面１４の後表示部４２とを、容器本体１１正面から同時に視認することができる。したがって、容器本体内のフィルムに形成された意匠の手前に容器本体前面の意匠を配置したり、容器本体内の造形品の背後にラベルの図柄を配置した従来と比較して、前記内表示部４１の奥側及び手前側に各表示部５２，４２を表示することができ、奥行き感の向上を図ることができる。
【００３２】
そして、前記前表示部５２は、前記容器本体１１の前面１３に設けられており、前記後表示部４２は、前記容器本体１１の後面１４に設けられている。このため、前記容器本体１１の前面１３から後面１４までの離間距離を奥行きとして有効に利用することができる。よって、容器本体１１の径寸法を最大限に活用することができる。
【００３３】
また、前記内表示部４１が設けられた板状の透明フィルム３１を、容器本体１１の底面２１に形成された横溝２６によって位置決めすることができる。これにより、表面側に内表示部４１が印刷された透明フィルム３１の不用意な回転を防止することができ、前記透明フィルム３１が容器本体１１内で回転する恐れのある場合と比較して、前記内表示部４２の正面から視認性を確保することができる。
【００３４】
さらに、前記容器本体１１内の透明フィルム３１が底面の横溝２６に位置決めされた状態で、上方に延出する舌片３３が前記容器本体１１の縮径部１６内に収容されてるとともに、この縮径部１６には、当該容器本体１１内へ挿入されるパイプ６４及び吸湿芯６５からなる棒状部材６６を挿入する開口部１７が設けられている。
【００３５】
このため、この棒状部材６６を、前記舌片３３の裏側に配置した状態で、当該舌片３３に沿って挿入することで、前記棒状部材６６を、前記透明フィルム３１の裏側に配置することができる。これにより、前記棒状部材６６が前記透明フィルム３１に設けられた内表示部４１より手前側に配置され、内表示部４１の一部が棒状部材６６によって覆われるといった状態を確実に防止することができる。
【００３６】
なお、本実施の形態では、芳香剤２、容器本体１１及び、透明フィルム３１を無色透明としたが、透視可能であれば着色と施すことも可能である。
【００３７】
【発明の効果】
以上説明したように本発明の請求項１の容器体にあっては、手前から順に配置された容器本体前面の前表示部と、前記容器本体内の内表示部と、容器本体後面の後表示部とを、容器本体正面から視認することができる。したがって、容器本体内のフィルムに形成された意匠の手前に容器本体表面の意匠を配置したり、容器本体内の造形品の背後にラベルの図柄を配置した従来と比較して、前記内表示部の奥側及び手前側に各表示部を表示することができ、奥行き感の向上を図ることができる。
【００３８】
そして、前記前表示部は、前記容器本体の前面に設けられており、前記後表示部は、前記容器本体の後面に設けられている。このため、前記容器本体の前面から後面までの離間距離を奥行きとして有効に利用することができる。よって、容器本体の径寸法を最大限に活用することができる。
【００３９】
また、請求項２の容器体においては、内表示部が設けられた板状の表示体を、容器本体の底部に形成された溝によって位置決めすることができる。このため、前記表示体の不用意な回転を防止することができ、板状の表示体が容器本体内で回転する恐れのある場合と比較して、前記内表示部の正面から視認性を確保することができる。
【００４０】
また、板状の表示体が、容器本体の前壁や後壁の内面に付着してしまい前表示部又は後表示部との奥行き感がなくなってしまうといったことが防止される。
【００４１】
さらに、請求項３の容器体では、容器本体内の表示体が底部の溝に位置決めされた状態で、その舌片が前記容器本体の縮径部内に収容されてるとともに、この縮径部には、当該容器本体内へ挿入される棒状部材の挿入口が設けられている。
【００４２】
このため、棒状部材を、前記舌片の裏側に配置した状態で、当該舌片に沿って挿入することで、前記棒状部材を、前記表示体の裏側に配置することができる。したがって、前記棒状部材が前記表示体に設けられた内表示部より手前側に配置され、内表示部の一部を覆うといった状態を防止することができる。
【００４３】
更に、板状の表示体が、容器本体の前壁や後壁の内面に付着してしまい前表示部又は後表示部との奥行き感がなくなってしまうといったことが確実に防止される。
【図面の簡単な説明】
【図１】本発明の一実施の形態を示す正面図である。
【図２】（ａ）は同実施の形態の平面図であり、（ｂ）は底面図である。
【図３】図２の（ａ）のＡ−Ａ線に沿った断面図でである。
【図４】同実施の形態の要部を示す説明図である。
【符号の説明】
１    容器体
１１    容器本体
１３    前面
１４    後面
１５    一般部
１６    縮径部
１７    開口部（挿入口）
２１    底面
２６    横溝
３１    透明フィルム（表示体）
３２    表示本体
３３    舌片
４１    内表示部
４２    後表示部
５２    前表示部
５３    視認領域
６６    棒状部材
【図１】
2004203441.tif 000003
【図２】
2004203441.tif 000004
【図３】
2004203441.tif 000005
【図４】
2004203441.tif 000006